(57)【要約】  本発明の二酸化炭素外用投与装置（１）は、体表面を外気から密閉することができる密閉包囲材（２）と、密閉包囲材（２）の内部に二酸化炭素を供給するための供給装置（３）と、密閉包囲材（２）の内部の体表面での発汗を増進させる発汗増進手段（４）と、を備えている。
2008047829.tif 000002
【特許請求の範囲】
【請求項１】
ヒト又は動物の体表面を外気から密閉することができる密閉包囲材と、
密閉包囲材の内部に二酸化炭素を供給するための供給装置と、
密閉包囲材の内部の体表面での発汗を増進させる発汗増進手段と、
を備えていることを特徴とする、二酸化炭素外用投与装置。
【請求項２】
発汗増進手段が、密閉包囲材の内部の気体を大気圧を超える圧力に加圧する加圧部材からなっている、請求項１記載の二酸化炭素外用投与装置。
【請求項３】
加圧部材が、密閉包囲材の周囲を取り囲む加圧包囲材と、加圧包囲材と密閉包囲材との間の空間に空気を供給する空気供給装置と、を備えている、請求項２記載の二酸化炭素外用投与装置。
【請求項４】
発汗増進手段が、密閉包囲材の内部の気体又は皮膚粘膜を皮膚温を超える温度に加熱する加温部材からなっている、請求項１記載の二酸化炭素外用投与装置。
【請求項５】
発汗増進手段が、密閉包囲材の内部を室内湿度を超える湿度に加湿する加湿部材からなっている、請求項１記載の二酸化炭素外用投与装置。
【請求項６】
密閉包囲材の内部に、二酸化炭素の経皮経粘膜吸収を助ける吸収補助材を、更に備えている、請求項１記載の二酸化炭素外用投与装置。
【請求項７】
ヒト又は動物の体表面を密閉包囲材によって外気から密閉した状態で、体表面での発汗を増進させながら密閉包囲材の内部に二酸化炭素を供給することによって、体表面から二酸化炭素を経皮経粘膜吸収させることを特徴とする、二酸化炭素外用投与方法。
【発明の詳細な説明】
【技術分野】
【０００１】
本発明は、医療効果、美容効果、及び疲労回復効果などを簡便に得ることができる、二酸化炭素外用投与装置及び同方法に関する。
【背景技術】
【０００２】
近年、医療及び美容の分野などで、二酸化炭素が活用されるようになってきている。二酸化炭素には、医療効果及び美容効果があると言われている（特許文献１参照）。
【０００３】
生体内への二酸化炭素の投与方法としては、注射器を用いて直接皮下に注射する方法がある。また、炭酸塩と酸とを配合した浴用剤、及び、炭酸ガス（以下、「二酸化炭素」と同義。）ボンベと中空糸膜とを用いる循環型炭酸泉なども、検討されている。更に、特許文献２には、炭酸ガスによる血行促進効果を得るためのシップ剤が、開示されている。また、特許文献１には、気泡状の二酸化炭素を含有する粘性組成物である二酸化炭素経皮経粘膜吸収用組成物が、開示されている。【０００４】
しかしながら、上記の浴用剤及び循環型炭酸泉においては、浴槽温度が高いと、二酸化炭素が大気中に散逸するため、皮膚や粘膜からの二酸化炭素の吸収量を多くし難い。二酸化炭素の吸収量を増大させるためには、大量の、炭酸塩及び酸、又は、炭酸ガスが、必要である。すなわち、それらの方法では、医療目的又は美容目的において効果を発揮させることが、効率的ではなく、経済的でもない、という問題点がある。【０００５】
上記シップ剤では、炭酸塩と有機酸とを含んだ布に、水を含んだ布を重ねて、炭酸ガスを発生させ、発生した炭酸ガスを、布に含まれた水に溶かして、溶存炭酸ガスとして利用している。しかしながら、炭酸塩と有機酸との反応が、通常、非常に急激であり、水への二酸化炭素の溶解量よりも大気中への二酸化炭素の発散量が多いので、上記シップ剤では、二酸化炭素の経皮経粘膜吸収による医療効果又は美容効果は、期待し難い。【０００６】
上記二酸化炭素経皮経粘膜吸収用組成物は、皮膚上又は粘膜上で、高濃度の二酸化炭素を得ることができるが、満足する医療効果又は美容効果を得るためには、長期間、大量に、使用しなければならない。更に、上記組成物は、粘度が高く、使用後に皮膚粘膜から除去しにくいので、使用が面倒である。【０００７】
そこで、本発明者は、上記問題点を解決するために、二酸化炭素の散逸を防ぐ工夫を有し、高濃度の二酸化炭素を、生体内に、効率的に且つ簡便に且つ確実に、吸収させることができる、二酸化炭素外用投与装置を、既に提案している（特許文献３参照）。【０００８】
特許文献３に開示されている二酸化炭素外用投与装置は、体表面を外気から密閉することができる密閉包囲材と、密閉包囲材の内部に二酸化炭素を供給するための供給装置と、密閉包囲材の内部において二酸化炭素の経皮経粘膜吸収を助ける吸収補助材と、を備えていることを特徴としている。そして、この装置によれば、体表面からの二酸化炭素の吸収を吸収補助材によって促進することにより、二酸化炭素による優れた医療効果及び美容効果を簡便に得ることができる。【０００９】
また、特許文献４には、二酸化炭素の供給源と、治療対象箇所を囲む空間を形成可能な空間形成部材と、上記供給源から上記空間内へ二酸化炭素を送る流路を形成する流路形成部材と、を備えた、二酸化炭素治療装置が、開示されている。
【特許文献１】特開２０００−３１９１８７号公報
【特許文献２】特開昭６２−２８６９２２号公報
【特許文献３】国際公開公報ＷＯ２００４／００２３９３号
【特許文献４】特開２００５−５８７４５号公報
【発明の開示】
【発明が解決しようとする課題】
【００１０】
上述した従来の二酸化炭素外用投与装置では、体表面からの二酸化炭素の吸収を吸収補助材によって効率的に促進することができる。しかしながら、その後の実験の結果によれば、次のことが判明した。すなわち、被施療者の発汗を促した状態で二酸化炭素の経皮経粘膜吸収を行うと、医療効果及び美容効果が更に向上するとともに、疲労回復などの効果も得られる。【００１１】
本発明は、このような事実に鑑み、医療効果及び美容効果を更に向上できるとともに疲労回復効果なども得ることができる、二酸化炭素外用投与装置及び同方法を、提供することを目的とする。
【課題を解決するための手段】
【００１２】
上述のとおり、本発明者は、二酸化炭素の経皮経粘膜吸収が、その体表面（皮膚粘膜の表面を意味する）に発汗がある場合に非常に効果的に促進されること、に着目して、本発明を完成するに至った。【００１３】
すなわち、本発明の二酸化炭素外用投与装置は、ヒト又は動物の体表面を外気から密閉することができる密閉包囲材と、密閉包囲材の内部に二酸化炭素を供給するための供給装置と、密閉包囲材の内部の体表面での発汗を増進させる発汗増進手段と、を備えていることを特徴とする。【００１４】
二酸化炭素は、気体状では、通常、経皮経粘膜吸収効率が非常に低い。しかしながら、後述する実施例でも明らかなように、次のことが判明した。すなわち、人体の体表面に発汗がある場合には、この発汗のある部位を、密閉して、一定時間、二酸化炭素に暴露すると、汗に溶解した二酸化炭素が、効率的に経皮経粘膜吸収され、短時間で、医療効果、美容効果、及び疲労回復効果などを得ることができる。【００１５】
また、本発明の二酸化炭素外用投与装置によれば、上述のとおり、発汗による汗自体が二酸化炭素溶解媒体となるので、吸収補助材を密閉包囲材の内部に予め設けておかなくても、医療効果、美容効果、及び疲労回復効果などを得ることができる。【００１６】
更に、本発明の二酸化炭素外用投与装置及び同方法は、上述のとおり、ヒトだけでなく動物にも、有効である。ただし、以下では、ヒトを中心として、本発明について説明する。【００１７】
本発明における密閉包囲材とは、人体の一部又は全部である体表面を密閉することができ、且つ、その内部に一定量の気体を保持できる、部材を意味する。なお、この密閉包囲材では、内部の気体は、外部に、全く漏れない又は僅かしか漏れない。【００１８】
本発明における二酸化炭素の供給装置としては、密閉包囲材の内部に気体状の二酸化炭素を供給できる装置あれば、特に制限されない。例えば、炭酸ガスボンベのように、内部に貯蔵している二酸化炭素を必要な時に放出できる装置、又は、酸と炭酸塩との反応によって必要な時に二酸化炭素を発生して放出できる装置、を使用できる。【００１９】
本発明における発汗増進手段は、密閉包囲材の内部の気体を、大気圧を超える圧力に加圧する加圧部材によって、構成できる。後述する実施例で述べるとおり、二酸化炭素で満たされた密閉包囲材の内部の気体を、大気圧を超える圧力に加圧すると、被施療者が強い温感を感じ、発汗が起こる。したがって、この場合の加圧部材は、体表面での発汗を増進させる発汗増進手段として機能する。なお、発汗増進手段には、運動や入浴などによって体表面が発汗した状態で、密閉包囲材によって密閉される場合も、含まれる。【００２０】
密閉包囲材の内部の気体を加圧する方法としては、二酸化炭素の供給装置からの供給圧を増大させる方法がある。しかしながら、この方法では、二酸化炭素の供給量が多くなるので、不経済である。【００２１】
そこで、本発明においては、上記加圧部材を、密閉包囲材の周囲を取り囲む加圧包囲材と、加圧包囲材と密閉包囲材との間の空間に空気を供給する空気供給装置と、によって構成している。【００２２】
この場合、加圧包囲材が、密閉包囲材の周囲を取り囲んでおり、両包囲材の間に空気を供給するようになっているので、二酸化炭素の供給量を増大させなくても、密閉包囲材の内部の気体を加圧することができる。それ故、二酸化炭素の供給量を増大させることによって加圧する場合に比べて、密閉包囲材の内部の気体を安価に加圧することができ、二酸化炭素の経皮経粘膜吸収による施療を安価に行うことができる。【００２３】
更に、本発明における発汗増進手段としては、密閉包囲材の内部を皮膚温を超える温度に加熱する加温部材、又は、密閉包囲材の内部の湿度を室内湿度を超える湿度に加湿する加湿部材、を採用できる。なお、本発明において密閉包囲材の内部とは、密閉包囲材によって囲まれている内側の部分を意味する。【００２４】
上記加温部材としては、施療部位を部分的に加温する遠赤外線ヒータ、又は、被施療者の体全体を加温する温風ヒータ、などを採用できる。【００２５】
上記密閉包囲材の内部における皮膚温を超える温度としては、好ましくは２５〜４５℃、より好ましくは３０〜４３℃である。なお、皮膚温としては２５〜４３℃が好ましく、３２〜４２℃がより好ましい。一般に組織細胞は４３℃以上の温度では死滅することが知られているため、本発明を実施するとき、皮膚温が４３℃を越えないように注意しなければならない。【００２６】
上記加湿部材としては、密閉包囲材の内部に水蒸気を供給する噴霧装置を、採用できる。また、上記加湿部材は、二酸化炭素の供給装置に加湿器などを連結し、加湿した二酸化炭素を密閉包囲材の内部に供給する場合、又は、密閉包囲材の内部に加湿器を設ける場合、も含む。加湿器としては、ホットタオルなどを使用できる。【００２７】
湿度は、好ましくは相対湿度６０％以上、より好ましくは相対湿度７５％以上である。【００２８】
本発明においては、密閉包囲材の内部において二酸化炭素の経皮経粘膜吸収を助ける吸収補助材を、更に設けてもよい。【００２９】
上記吸収補助材は、水、アルコール類、油脂類、ロウ類などの、二酸化炭素溶解媒体を、含んでおり、吸収補助材の形状や性質などに応じて、皮膚粘膜に塗布又は貼付などによって密着させることによって、二酸化炭素溶解媒体を含む層を皮膚粘膜上に形成する。そのような吸収補助材の具体例としては、特許文献３に記載のように、種々の部材を採用できる。
【図面の簡単な説明】
【００３０】
【図１】第一実施形態の二酸化炭素外用投与装置の概略構成図である。
【図２】第二実施形態の二酸化炭素外用投与装置の概略構成図である。
【図３】第三実施形態の二酸化炭素外用投与装置の概略構成図である。
【図４】第四実施形態の二酸化炭素外用投与装置の概略構成図である。
【図５】第五実施形態の二酸化炭素外用投与装置の概略構成図である。
【図６】第六実施形態の二酸化炭素外用投与装置の概略構成図である。
【符号の説明】
【００３１】
２  密閉包囲材
３  供給装置
４  発汗増進手段
６  加圧包囲材
１１  第二ボンベ（空気供給装置）
２５  吸収補助剤
【発明を実施するための最良の形態】
【００３２】
以下、図面を参照しながら、本発明の実施形態を説明する。なお、各図面において、同一符号は、同一要素又は相当する要素を示している。【００３３】
本発明の二酸化炭素外用投与装置１は、少なくとも、体表面を外気から密閉することができる密閉包囲材２と、密閉包囲材２の内部に二酸化炭素を供給するための供給装置３と、密閉包囲材２の内部において体表面での発汗を増進させる発汗増進手段４と、を備えている。【００３４】
ただし、密閉包囲材２は、体表面を外気から完全に密閉できなくてもよく、少量の二酸化炭素を密閉包囲材２に持続的に供給することによって、密閉包囲材２の内部の二酸化炭素濃度を一定以上に保つことができればよい。【００３５】
〔第一実施形態〕
図１は、本発明の第一実施形態の二酸化炭素外用投与装置１を示している。【００３６】
図１（ａ）に示すように、本実施形態の投与装置１では、密閉包囲材２は、一端側が開口した袋体であり、可撓性を有する合成樹脂でできている。密閉包囲材２は、手の先から腕部分までを包むことができる。この袋体の周囲は、加圧包囲材６で取り囲まれて、内外二重構造になっている。加圧包囲材６も、一端側が開口した合成樹脂製の袋体である。密閉包囲材２の開口部には、腕１２に縛り付けることによって両包囲材２、６の内部の気密性を確保するための、締め付けバンド７が、設けられている。【００３７】
密閉包囲材２には、逆止弁機能を有する第一カプラ８が取り付けられている。第一カプラ８の吐出口は、密閉包囲材２を気密的に貫通して、密閉包囲材２の内部に連通している。第一カプラ８の接続口は、加圧包囲材６の外部に突出している。それ故、二酸化炭素を貯蔵している第一ボンベ９のホースを、第一カプラ８の接続口に接続して、第一ボンベ９から二酸化炭素を放出することによって、密閉包囲材２の内部に二酸化炭素を供給できる。したがって、本実施形態では、第一ボンベ９が、二酸化炭素の供給装置３を構成している。【００３８】
加圧包囲材６には、逆止弁機能を有する第二カプラ１０が取り付けられている。第二カプラ１０の吐出口は、加圧包囲材６を気密的に貫通して、加圧包囲材６の内部に連通している。第二カプラ１０の接続口は、加圧包囲材６の外部に突出している。それ故、空気を貯蔵している第二ボンベ１１のホースを、第二カプラ１０の接続口に接続して、第二ボンベ１１から空気を放出することによって、加圧包囲材６と密閉包囲材２との間の空間に空気を供給できる。したがって、本実施形態では、第二ボンベ１１が、空気供給装置を構成している。【００３９】
本実施形態の投与装置１を使用する際には、図１（ａ）に示すように、密閉包囲材２の開口部から被施療者の腕１２を指先から挿入し、締め付けバンド７を腕１２に縛り付けて、密閉包囲材２及び加圧包囲材６の開口部を気密的に閉塞する。【００４０】
この状態で、第一ボンベ９から、密閉包囲材２の内部に二酸化炭素を供給し、それと同時に、第二ボンベ１１から、密閉包囲材２と加圧包囲材６との間の空間に空気を供給する。【００４１】
その結果、図１（ｂ）に示すように、密閉包囲材２の内部が、概ね、二酸化炭素で満たされるとともに、密閉包囲材２が、加圧包囲材６の内部の空気圧によって外部から加圧され、これによって、密閉包囲材２の内部の気体が大気圧を超える圧力で加圧される。このため、本実施形態では、加圧包囲材６と、加圧包囲材６の内部に空気を供給する第二ボンベ１１と、によって、密閉包囲材２の内部の気体を大気圧を超える圧力に加圧する加圧部材１３が、構成されている。【００４２】
上述のように、体表面に接している二酸化炭素含有気体の圧力を、大気圧を超える圧力に加圧すると、後述する実施例から明らかなとおり、施療部位である腕１２全体の温感が非常に強くなるとともに、施療部位以外にも温感が生じ、被施療者の腕１２やその他の部位に発汗が生じる。したがって、本実施形態の加圧部材１３は、密閉包囲材２の内部の体表面での発汗を増進させる発汗増進手段４として、機能する。【００４３】
なお、被施療者の体表面に発汗を生じさせるための、密閉包囲材２の内部の二酸化炭素の圧力は、概ね、１．１〜５気圧程度である。何故なら、１．１気圧未満の場合には、加圧効果を得ることができず、５気圧を超える場合には、更なる医療効果又は美容効果を得ることができないからである。【００４４】
被施療者自身の発汗で生じた体表面の汗に、二酸化炭素が溶解し、この溶解した二酸化炭素が、効果的に経皮経粘膜吸収される。それ故、汗が結果的に二酸化炭素の吸収補助材となるので、短時間で、強い、医療効果、美容効果、及び疲労回復効果を得ることができる。【００４５】
したがって、本実施形態の投与装置１によれば、後述する吸収補助材２５を密閉包囲材２の内部に予め設けるか否かに拘わらず、医療効果、美容効果、及び疲労回復効果などを短時間で得ることができる。【００４６】
また、本実施形態では、加圧包囲材６が密閉包囲材２の周囲を取り囲んでおり、両包囲材２、６の間に空気を供給するようになっているので、二酸化炭素の供給量を増大させなくても、密閉包囲材２の内部の気体を加圧することができる。それ故、二酸化炭素の供給量を増大させることによって加圧する場合に比べて、密閉包囲材２の内部を安価に加圧することができ、二酸化炭素の経皮経粘膜吸収による施療を安価に行うことができる。【００４７】
〔第二実施形態〕
図２は、本発明の第二実施形態の二酸化炭素外用投与装置１を示している。【００４８】
図２に示すように、本実施形態の投与装置１では、加圧包囲材６は、硬質且つ中空のボックス体１６であり、被施療者１５の首から下の体全体を収納できる。ボックス体１６は、座部１７と背凭れ部１８とを有する本体部１９と、本体部１９の前方開放部を開閉自在に密閉する前蓋部２０と、を備えている。【００４９】
ボックス体１６の内面側には、密閉包囲材２が設けられている。密閉包囲材２は、可撓性を有する合成樹脂製の袋体であり、被施療者１５の首から下の体全体を収納できる。【００５０】
ボックス体１６の下部には、逆止弁機能を有する、第一カプラ８及び第二カプラ１０が、取り付けられている。そして、密閉包囲材２の内部には、第一カプラ８に接続された第一ボンベ９から、二酸化炭素を供給できる。また、密閉包囲材２と加圧包囲材６の間の空間には、第二カプラ１０に接続された第二ボンベ１１から、空気を供給できる。【００５１】
本実施形態では、ボックス体１６の座部１７の下面に、電熱線ヒータなどからなる加温部材２１が設けられている。加温部材２１は、密閉包囲材２の内部を皮膚温を超える温度に加熱できる。なお、被施療者の皮膚温は、通常、体温（摂氏３６度程度）よりも低温（摂氏２５度程度）であるので、加温部材２１は、密閉包囲材２の内部を上記低温を超える温度に加熱できる能力を有していればよい。【００５２】
本実施形態の投与装置１を使用する際には、図２に示すように、被施療者１５を、首だけ外部に露出させた状態でボックス本体１６の座部１７に座らせ、前蓋部２０を閉じてボックス本体１６を気密的に閉塞する。【００５３】
この状態で、第一ボンベ９から、密閉包囲材２の内部に二酸化炭素を供給し、それと同時に、第二ボンベ１１から、密閉包囲材２と加圧包囲材６との間の空間に空気を供給する。【００５４】
その結果、密閉包囲材２の内部が、概ね、二酸化炭素で満たされるとともに、密閉包囲材２が、加圧包囲材６の内部の空気圧によって外部から加圧され、これによって、密閉包囲材２の内部の気体が大気圧を超える圧力で加圧される。このため、本実施形態においても、加圧包囲材６と、加圧包囲材６の内部に空気を供給する第二ボンベ１１と、によって、密閉包囲材２の内部の気体を大気圧を超える圧力に加圧する加圧部材１３が、構成されている。【００５５】
上述のように、体表面に接している二酸化炭素含有気体の圧力を、大気圧を超える圧力に加圧すると、後述する実施例から明らかなとおり、施療部位である首から下の体全体の温感が非常に強くなり、被施療者１５に発汗が生じる。したがって、本実施形態の加圧部材１３も、密閉包囲材２の内部の体表面での発汗を増進させる発汗増進手段４として機能する。【００５６】
また、第二実施形態では、座部１７に設けた加温部材２１によって、密閉包囲材２の内部が皮膚温を超える温度に加熱されるので、被施療者１５の発汗が助長される。このため、本実施形態では、加温部材２１も、体表面での発汗を増進させる発汗増進手段４として機能する。【００５７】
被施療者１５自身の発汗で生じた体表面の汗に、二酸化炭素が溶解し、この溶解した二酸化炭素が、効果的に経皮経粘膜吸収される。すなわち、汗が結果的に二酸化炭素の吸収補助材となるので、短時間で、強い、医療効果、美容効果、及び疲労回復効果を得ることができる。【００５８】
上述のように、本実施形態の投与装置１においても、後述する吸収補助材２５を密閉包囲材２の内部に予め設けるか否かに拘わらず、医療効果、美容効果、及び疲労回復効果などを短時間で得ることができる。【００５９】
また、本実施形態では、加圧包囲材６が密閉包囲材２の周囲を取り囲んでおり、両包囲材２、６の間に空気を供給するようになっているので、二酸化炭素の供給量を増大させなくても、密閉包囲材２の内部の気体を加圧することができる。このため、二酸化炭素の供給量を増大させることによって加圧する場合に比べて、密閉包囲材２の内部を安価に加圧することができ、二酸化炭素の経皮経粘膜吸収による施療を安価に行うことができる。【００６０】
〔その他の実施形態〕
図３〜図６は、本発明の第三〜第六実施形態を示している。【００６１】
図３〜図６に示すように、本発明の二酸化炭素外用投与装置１において、密閉包囲材２は、皮膚粘膜を覆い、且つ、二酸化炭素が保持される一定の空間を保持できる、部材であれば、その形状や材質などは、特に制限されない。【００６２】
密閉包囲材２の形状としては、例えば、図３に示すように、手（足でもよい）を包むことができる袋体、又は、図４に示すように、腕（足でもよい）に巻き付けることができるチューブ状の袋体、を採用できる。【００６３】
また、密閉包囲材２の形状は、図５に示すように、腹部などの比較的広い皮膚面に密着する開口下縁を有する容器、又は、図６に示すように、一端部が開口し、且つ、他端部が供給装置３の接続部分である、カップ状の筒体、を採用できる。もちろん、密閉包囲材２の形状は、これらの例に限定されない。【００６４】
図３の第三実施形態及び図４の第四実施形態では、投与装置１の構成要素として、遠赤外線ヒータなどからなる加温部材２１が、設けられている。加温部材２１は、密閉包囲材２の内部を皮膚温を超える温度に加熱することができ、被施療者の発汗を促進する発汗増進手段４として機能する。【００６５】
図３及び図４に仮想線で示すように、二酸化炭素を供給するチューブ３ａを、恒温水槽などからなる加温部材２１Ａに、通してもよい。この場合、二酸化炭素の供給装置（ボンベ）３から二酸化炭素を供給する際に、加温部材２１Ａで温められた二酸化炭素が、密閉包囲材２の内部に供給されて、被施療者の発汗が促進される。したがって、加温部材２１Ａは、発汗促進手段４を構成している。【００６６】
図５の第五実施形態及び図６の第六実施形態では、投与装置１の構成要素である二酸化炭素の供給装置（ボンベ）３の内部には、二酸化炭素とともに水蒸気が封入されている。そして、供給装置３は、二酸化炭素と水蒸気とを同時に密閉包囲材２の内部に供給でき、密閉包囲材２の内部を加湿できる。【００６７】
このため、第五及び第六実施形態では、二酸化炭素の供給装置３が、密閉包囲材２の内部の湿度を室内湿度を超える湿度に加湿する加湿部材２２としての機能を、兼ね備えている。もちろん、二酸化炭素の供給装置３とは別に、加湿器（加湿部材）を密閉包囲材２に接続し、この加湿器で個別に水蒸気を供給するようにしてもよい。密閉包囲材２の内部の湿度が上がると、体表面からの発汗が増進されるので、加湿部材２２は、被施療者の発汗を促進する発汗増進手段４として機能する。【００６８】
次に、本発明の各構成要素について、説明する。【００６９】
〔密閉包囲材〕
上記各実施形態に示すように、密閉包囲材２の構成材料は、気体不透過性材料であれば、特に制限されない。例えば、金属、プラスチック、ゴム、ガラスなどから、目的又は使用部位などに応じて、適宜選んで使用できる。【００７０】
密閉包囲材２が、金属、ガラスのような、伸縮性のない固い材料で、構成されている（以下、「堅牢型密閉包囲材」という。）場合は、密閉包囲材２は、使用部位を囲んで密閉された一定の空間を保持する形状を有しているのが、好ましい。皮膚粘膜の接触部分は、二酸化炭素が漏れないように、使用部位に応じた形状を有しているのが、好ましい。しかし、伸縮性のある、ゴム、樹脂などの材料は、使用部位に柔軟に対応できるので、皮膚粘膜接触部分と組み合わせて用いるのが、好ましい。例えば、粘弾ゲルのような材料は、柔軟性がより高く、且つ、皮膚粘膜への密着性に優れているので、より好ましい。【００７１】
例えば、堅牢型密閉包囲材２の気体注入口２ａ（図５、図６参照）には、二酸化炭素の供給装置３からのチューブ３ａが接続されている。気体注入口２ａは、気体が漏れない構造を有していれば、特に制限されないが、気体の逆流を防止する逆止弁を備えているのが、より好ましい。堅牢型密閉包囲材２の気体排出口２ｂ（図５、図６参照）は、皮膚粘膜接触部分の隙間でもよいが、密閉包囲材２の内部の空気と二酸化炭素との置換を確実且つ効率的に行うために、気体の逆流を防止する逆止弁を備えているのが、より好ましい。【００７２】
密閉包囲材２が、形状保持能力のある材料、すなわち、ゴム、樹脂、軟質プラスチックなどのような、柔軟性のある材料であり、且つ、多少の外力によっても形状が大きく崩れることがない材料、で構成されている（以下、「柔軟型密閉包囲材」という。）場合は、密閉包囲材２は、皮膚粘膜接触部分も柔らかいため、そのまま使うことができる。しかし、例えば、粘弾ゲルのような材料は、柔軟性がより高く、且つ、皮膚粘膜への密着性に優れているので、そのような材料を皮膚粘膜接触部分と組み合わせて用いるのが、より好ましい。なお、柔軟型密閉包囲材２においても、堅牢型密閉包囲材２の場合と同じ、気体注入口及び気体排出口を、採用できる。【００７３】
密閉包囲材２が、ゴム、樹脂などのような、柔軟性のある材料であり、且つ、風船のような高い伸縮性を持つ材料、で構成されている（以下、「伸縮性密閉包囲材」という）場合は、密閉包囲材２は、筒状又は袋状などの形態で使用できる。その場合は、所望部位を覆った筒又は袋などの口を縛ったり、又は、口にゴム又はばねなどが取り付けられた伸縮式開閉口を設けたりすることによって、皮膚粘膜を密閉できる。【００７４】
また、例えば、適用部位が腕である筒状伸縮性密閉包囲材２の場合には、筒の周囲径を腕の周囲径とほぼ同じ又は小さく設定してもよい。その場合、密閉包囲材２は、皮膚粘膜に密着した状態で、又は、密閉包囲材２と皮膚粘膜との間の空間が非常に小さい状態で、皮膚粘膜を密閉し、密閉包囲材２と皮膚粘膜との間に二酸化炭素が注入されることによって膨張し、注入された二酸化炭素自身によって、二酸化炭素が保持される一定の空間を作ってもよい。【００７５】
伸縮性密閉包囲材２の気体注入口及び気体排出口は、堅牢型密閉包囲材２の場合と同じ構造でもよい。しかし、筒状又は袋状などの伸縮性密閉包囲材２においては、筒又は袋などで皮膚粘膜を密閉し、内部の空気を予めできるだけ排出し、内部に空気ができるだけ入らないようにしながらチューブ３ａを筒又は袋などの口に差し込み、二酸化炭素を注入してもよい（図３、図４参照）。【００７６】
密閉包囲材２が、折り畳み可能なシート状又はフィルム状の材料で構成されている（以下、「シート型密閉包囲材」という。）場合は、密閉包囲材２は、筒状又は袋状などの形態で使用できる。その場合は、所望部位を覆った筒又は袋などの口を縛ったり、又は、口にゴム又はばねなどが取り付けられた伸縮式開閉口を設けたりすることによって、皮膚粘膜を密閉できる。【００７７】
また、例えば、適用部位が腕（足でもよい）である筒状のシート型密閉包囲材２の場合には、筒の周囲径を腕の周囲径より大きく設定してもよい。その場合、密閉包囲材２は、腕を密閉し、密閉包囲材２自体を折り畳み、内部の空気をできるだけ排出し、皮膚粘膜に密着させて使用できる。【００７８】
シート型密閉包囲材２の気体注入口及び気体排出口は、堅牢型密閉包囲材２の場合と同じ構造でもよい。しかし、筒状又は袋状などのシート型密閉包囲材２においては、筒又は袋などで皮膚粘膜を密閉し、内部の空気を予めできるだけ排出し、内部に空気ができるだけ入らないようにしながらチューブを筒又は袋などの口に差し込み、二酸化炭素を注入してもよい。【００７９】
〔二酸化炭素の供給装置〕
本発明の投与装置１において、二酸化炭素の供給装置３としては、特に制限はなく、例えば市販の炭酸ガスボンベなどを使用でき、又は、例えばチューブの付いた密閉容器を次のように使用できる。すなわち、密閉容器の内部において、固体の二酸化炭素であるドライアイスを気化させる、又は、密閉容器の内部において、炭酸塩と酸とを反応させて二酸化炭素を発生させる。【００８０】
本発明の投与装置１において、密閉包囲材２と供給装置３とを接続するチューブ３ａは、外部に気体が漏れなければよい。チューブ３ａとしては、ゴム、樹脂、金属、ガラスなどの、チューブとして成形できる材料であれば、特に制限なく使用できる。【００８１】
〔二酸化炭素〕
本発明の投与装置１において、使用する二酸化炭素は、気体状であり、この気体に占める二酸化炭素の割合は、１０％以上が好ましく、３０％以上がより好ましい。二酸化炭素の投与量としては、皮膚粘膜１平方センチメートル当たり０．１ｍｇ以上が好ましく、０．３ｍｇ以上がより好ましい。【００８２】
〔吸収補助材〕
図３〜図６の各実施形態に示すように、本発明の投与装置１においては、発汗増進手段４を採用するだけでなく、二酸化炭素の吸収補助材２５を追加的に採用してもよい。吸収補助材２５に使用される材料は、下記のとおりであり、例えば、シート状物、粘性物、アルコール類、油脂類、ロウ類などを、挙げることができる。【００８３】
上記シート状物は、少なくとも水を含む液体を含浸でき且つ皮膚粘膜に貼付できる材料であれば、特に制限されない。上記シート状物としては、例えば、天然繊維、合成繊維、半合成繊維などからなる、織布、不織布；セルロース膜などの半透膜；天然高分子、合成高分子、半合成高分子などからなる、ハイドロゲルシート；などを挙げることができ、これらの１種以上を使用できる。【００８４】
上記の少なくとも水を含む液体としては、特に制限はなく、水そのものでもよく、又は、本発明の効果を損なわない限り、何らかの物質が溶けたり分散したりしている水でもよい。また、上記の少なくとも水を含む液体は、ｐＨ７〜ｐＨ２が好ましく、ｐＨ６．５〜ｐＨ４の酸性水がより好ましい。何故なら、二酸化炭素は、ｐＨ４以上の酸性溶媒に溶解したときに、効率的に経皮経粘膜吸収されるからである。【００８５】
上記粘性物は、水を含んでおり、且つ、皮膚粘膜に塗布したとき容易に流れ落ちることがなく、且つ、粘度が２０℃で２０ｃｐｓ以上ある材料であれば、液体でも半固体でもよい。上記粘性物の製剤としては、例えば、液、クリーム、ペースト、ゲルなどを挙げることができ、これらの１種以上を使用できる。【００８６】
上記粘性物は、ｐＨ７〜ｐＨ２が好ましく、ｐＨ６．５〜ｐＨ４の酸性粘性物がより好ましい。【００８７】
上記粘性物としては、特に制限されないが、含水量ができるだけ多く、且つ、皮膚粘膜に水分を補給できる材料が、好ましい。上記製剤としての液としては、少量で必要な粘度を得ることができること、又は、皮膚粘膜との密着性又は粘着性に優れていることから、増粘剤の、水溶液、懸濁液、又は膨潤液などを、好適に使用できる。これらの製造方法としては、特に制限はなく、公知の方法を採用できる。上記製剤としての、クリーム、ペースト、ゲルとしては、特に制限はなく、公知の方法によって製造されるものを使用できる。【００８８】
上記粘性物に使用される増粘剤としては、天然高分子、半合成高分子、合成高分子、無機物からなる群から選択される、１種以上を、使用できる。【００８９】
天然高分子としては、アラビアゴム、カラギーナン、ガラクタン、寒天、キサンタンガム、クインスシードガム、グアガム、トラガント、ペクチン、マンナン、ローカストビーンガム、小麦澱粉、米澱粉、トウモロコシ澱粉、馬鈴薯澱粉などの、植物系高分子；カードラン、キサンタンガム、サクシノグルカン、デキストラン、ヒアルロン酸、プルランなどの、微生物系高分子；アルブミン、カゼイン、コラーゲン、ゼラチン、フィブロインなどの、蛋白系高分子；を挙げることができ、これらの１種以上を使用できる。【００９０】
上記天然高分子の中でも、皮膚粘膜との親和性などの点で、アラビアゴム、カラギーナン、キサンタンガム、トラガント、ヒアルロン酸、プルラン、ペクチン、マンナン、ローカストビーンガムが、好ましく、また、使用感などの点で、カラギーナンとペクチンが、より好ましい。【００９１】
半合成高分子としては、エチルセルロース、カルボキシメチルセルロース、カルボキシメチルエチルセルロース、カルボキシメチルスターチ、クロスカルメロース、結晶セルロース、酢酸セルロース、酢酸フタル酸セルロース、ヒドロキシエチルセルロース、ヒドロキシプロピルセルロース、ヒドロキシプロピルメチルセルロース、ヒドロキシプロピルメチルセルロースフタレート、メチルセルロース、メチルヒドロキシプロピルセルロースなどの、セルロース系高分子；アルファー化澱粉、部分アルファー化澱粉、カルボキシメチル澱粉、デキストリン、メチル澱粉、デンプン−アクリル酸共重合体、セルロース−アクリロニトリルグラフト共重合体などの、澱粉系高分子；アルギン酸ナトリウム、アルギン酸プロピレングリコールエステルなどの、アルギン酸系高分子；コンドロイチン硫酸ナトリウム、ヒアルロン酸ナトリウムなどの、その他の多糖類系高分子；を挙げることができ、これらの１種以上を使用できる。【００９２】
上記半合成高分子の中でも、皮膚粘膜との親和性などの点で、アルギン酸ナトリウム、アルギン酸プロピレングリコールエステル、カルボキシメチルセルロースナトリウム、デキストリン、ヒアルロン酸ナトリウムが、好ましく、また、使用感などの点で、アルギン酸ナトリウム、アルギン酸プロピレングリコールエステル、ヒアルロン酸ナトリウムが、より好ましい。【００９３】
合成高分子としては、カルボキシビニルポリマー、ポリアクリル酸ナトリウム、ポリアミン、ポリアクリルアミド、ポリビニルアセタールジエチルアミノアセテート、ポリビニルアルコール、ポリビニルピロリドン、ポリエチレングリコール、ポリエチレンオキサイド、ポリ（メタ）アクリル酸、ポリビニルメチルエーテルなどを挙げることができ、これらの１種以上を使用できる。【００９４】
上記合成高分子の中でも、皮膚粘膜との親和性などの点で、カルボキシビニルポリマー、ポリアクリル酸ナトリウム、ポリアクリルアミド、ポリビニルアルコール、ポリビニルピロリドンが、好ましく、また、使用感などの点で、ポリビニルアルコールとポリビニルピロリドン、カルボキシビニルポリマーが、より好ましい。【００９５】
無機物としては、含水二酸化ケイ素、軽質無水ケイ酸、コロイダルアルミナ、ベントナイト、ラポナイトなどを挙げることができ、これらの１種以上を使用できる。【００９６】
上記アルコール類は、常温で液状又は半固形状であり、且つ、ヒトの皮膚温では容易に気化しなければ、特に制限されない。上記アルコール類としては、例えば、イソプロピルアルコール、１−ブタノールなどの、一価アルコール；エチレングリコール、ジエチレングリコール、ポリエチレングリコール、プロピレングリコール、ジプロピレングリコール、１,３−ブタンジオール、１,２−ペンタンジオール、イソプレングリコール、グリセリン、ジグリセリン、トリグリセリン、テトラグリセリンなどの、多価アルコール；を挙げることができ、これらの１種以上を使用できる。【００９７】
気化温度の高いアルコール類の使用方法は、特に制限されない。上記アルコール類は、物性などに応じて、皮膚粘膜に、そのまま塗布又は噴霧したり、不織布などに含浸させるなどして貼付したりして、使用できる。【００９８】
上記油脂類は、常温で液状又は半固形状であり、且つ、皮膚粘膜に比較的薄く塗布できれば、特に制限されない。上記油脂類としては、例えば、アボカド油、アボカドバター、オリーブ油、ゴマ油、サフラワー油、大豆油、ツバキ油、ヒマワリ油、マカデミアナッツ油などの、天然植物油脂；スクアラン、ミンクオイル、牛脂、豚脂、鶏脂、馬脂などの、動物油脂；などを挙げることができ、これらの１種以上を使用できる。【００９９】
上記油脂類の使用方法は、特に制限されない。上記油脂類は、物性などに応じて、皮膚粘膜に、そのまま塗布又は噴霧したり、不織布などに含浸させるなどして貼付したりして、使用できる。【０１００】
上記ロウ類は、常温で液状又は半固形状であり、且つ、皮膚粘膜に比較的薄く塗布できれば、特に制限されない。上記ロウ類としては、例えば、ホホバ油、カルナバロウ、キャンデリラロウ、ミツロウ、ラノリンなどを挙げることができ、これらの１種以上を使用できる。【０１０１】
上記ロウ類の使用方法は、特に制限されない。上記ロウ類は、物性などに応じて、皮膚粘膜に、そのまま塗布又は噴霧したり、不織布などに含浸させるなどして貼付したりして、使用できる。【０１０２】
本発明の投与装置１において、吸収補助材２５を皮膚粘膜に適用する場合には、皮膚粘膜上に、二酸化炭素溶解媒体の膜ができるだけ薄く形成されることが、好ましい。二酸化炭素溶解媒体の膜が厚すぎると、二酸化炭素が当該媒体に溶解して皮膚粘膜に拡散吸収されるのに、時間がかかり、二酸化炭素の吸収効率が悪くなるおそれがある。【０１０３】
しかし、二酸化炭素溶解媒体の気化温度が比較的低い場合において、形成される二酸化炭素溶解媒体の膜が薄すぎる場合には、二酸化炭素が吸収されている間に、当該媒体が、皮膚温によって気化又は蒸発して皮膚粘膜上から消失するおそれがあるので、二酸化炭素溶解媒体の使用量を調節する必要がある。【０１０４】
吸収補助材２５には、外用剤又は化粧剤に通常用いられる原料を、配合でき、そのような原料は、医療効果、美容効果、又は疲労回復効果を得るために、より好適に使用できる。そのような原料としては、例えば、香料、色素、界面活性剤、油分、保湿剤、アルコール類、防腐剤、酸化防止剤、金属イオン封鎖剤、着色防止剤、紫外線吸収・散乱剤、ビタミン類、アミノ酸類、アルブチン、コウジ酸、栄養剤、抗炎症剤、血管拡張剤、ホルモン剤、収斂剤、抗ヒスタミン剤、殺菌剤、皮脂抑制剤、角質剥離・溶解剤、抗脂漏剤、鎮痒剤などを挙げることができる。【０１０５】
本発明の投与装置１は、ヒトだけでなく動物にも、適用できる。適用される動物は、汗腺を持つ動物であれば、特に限定されない。具体的には、ウマ、ウシなどを挙げることができる。イヌ、ネコのような、汗腺が殆ど無い動物に対しては、密閉包囲材の内部を皮膚温を超える温度に加熱する加温部材、及び、密閉包囲材の内部を室内湿度を超える湿度に加湿する加湿部材、の一方又は両方を備えた、本発明の投与装置１を用いることによって、二酸化炭素の経皮経粘膜吸収を促進できる。密閉包囲材の内部の気体を大気圧を超える圧力に加圧することは、汗腺が殆ど無い動物に対しても、有効である。【０１０６】
霊長類又は変温動物などに対しても、必要に応じて、汗腺を持つ動物又は汗腺が殆ど無い動物に対する上記の方法を採用し、本発明の投与装置１を用いることによって、二酸化炭素による医療効果及び美容効果などを容易に得ることができる。【０１０７】
以下に、本発明の実施例（試験例）を示しながら、本発明を更に具体的に説明する。もちろん、本発明は、これらの実施例に限定されない。
【実施例１】
【０１０８】
５１歳の男性被験者が、４２度の風呂に１５分間入浴し、風呂上がりに全身をバスタオルで拭いた。被験者においては、軽い発汗が続き、全身はしっとりと濡れていた。その状態の被験者の左足全体に、直ちに、３ｇの液状の吸収補助材を塗布し、その左足を、逆止弁付きの長さ８０ｃｍのポリプロピレン製の袋状密閉包囲材によって、覆った。【０１０９】
密閉包囲材の口を、密閉包囲材に付属している紐によって、太股の付け根の部分にて、しっかりと閉じ、紐の端を、粘着テープによって密閉包囲材に接着し、これによって、被験者の左足を密閉した。次に、逆止弁にチューブを差し込み、二酸化炭素を高圧ボンベから密閉包囲材の内部に注入し、密閉包囲材を膨張させた。なお、二酸化炭素の注入は、密閉包囲材の内部の気圧が大気圧と同等になった時点で、止めた。【０１１０】
高圧ボンベから放出された二酸化炭素は、低温であるので、被験者は、二酸化炭素注入中においては、足の皮膚表面がやや冷たく感じたが、注入を止めた途端に、左足全体だけでなく全身が暖かくなるのを感じた。【０１１１】
被験者は、特に、首筋と背中に強い温感を感じ、肩凝りと首の凝りが軽減されるのを感じた。続けて、密閉包囲材の内部の気圧が大気圧を超えるように、二酸化炭素を注入して密閉包囲材を膨張させたところ、被験者は、左足全体の温感が更に強くなるのを感じるとともに、更に強い皮膚温の上昇を感じた。それと同時に、被験者は、肩凝りと首の凝りが更に軽減されたのを感じた。それに加えて、被験者は、この試験前に感じていた軽い頭痛が軽減されたのを感じた。【０１１２】
上記と同様の試験を、４６歳の女性被験者に対して行ったところ、同様の結果が得られた。
【実施例２】
【０１１３】
３ｇの液状の吸収補助材を、５１歳の男性被験者の右腕全体に塗布し、その腕を、逆止弁付きのポリプロピレン製の袋状密閉包囲材によって、覆った。【０１１４】
密閉包囲材の口を、密閉包囲材に付属している紐によって、しっかりと閉じ、紐の端を、粘着テープによって密閉包囲材に接着し、これによって、被験者の右腕を密閉した。次に、逆止弁にチューブを差し込み、二酸化炭素を高圧ボンベから密閉包囲材の内部に注入し、密閉包囲材を膨張させた。なお、二酸化炭素の注入は、密閉包囲材の内部の気圧が大気圧と同等になった時点で、止めた。【０１１５】
高圧ボンベから放出された二酸化炭素は、低温であるので、被験者は、二酸化炭素注入中においては、右腕の皮膚表面がやや冷たく感じたが、注入を止めた途端に、右腕全体が暖かくなるのを感じた。【０１１６】
次に、密閉包囲材の内部の気圧が大気圧を超えるように、試験者が密閉包囲材を両手で押さえたところ、被験者は、右腕全体の温感が非常に強くなるのを感じるとともに、上半身全体に温感を感じた。再度、密閉包囲材の内部の気圧が大気圧と同等になるように、密閉包囲材の内部に二酸化炭素を注入したところ、被験者は、右腕全体が暖かくなるのを感じたが、上半身全体に温感が拡がるのは感じなかった。【０１１７】
次に、上記と同様に、試験者が密閉包囲材を両手で押さえたところ、被験者は、再度、右腕全体の温感が非常に強くなるのを感じるとともに、上半身全体に温感を感じ、被験者の脇の下は発汗した。【０１１８】
同様の試験を、４６歳の男性被験者及び２９歳の女性被験者に対して行ったところ、同様の結果が得られた。同様の試験を、特に５４歳の男性被験者に行ったところ、被験者は、強い肩凝りが５回の二酸化炭素注入で解消し、また、右腕が軽くなった、という感想を、述べた。【０１１９】
また、試験部位を大腿部に設定して、同様の試験を行った場合も、被験者の年齢や性別に関わらず、同様の結果が得られた。なお、吸収補助材の塗布面積が広いほど、すなわち、二酸化炭素の経皮吸収面積が広いほど、体全体の温感は強かった。
【実施例３】
【０１２０】
５ｇの液状の吸収補助材を、男性競馬騎手である被験者の両足全体に塗布し、その両足を、逆止弁付きのポリプロピレン製の袋状密閉包囲材によって、覆った。そして、密閉包囲材の口を、密閉包囲材に付属している紐によって、しっかりと閉じ、紐の端を、粘着テープによって、密閉包囲材に接着し、これによって、被験者の各足を密閉した。なお、被験者は、トレーニングを終えて入浴した直後の状態であり、体全体がうっすらと発汗している状態である。また、被験者は、１９歳、２１歳、２３歳、及び２７歳の４名の男性競馬騎手である。【０１２１】
次に、逆止弁にチューブを差し込み、密閉包囲材の内部の気圧が大気圧を超えるように、密閉包囲材の内部に二酸化炭素を注入したところ、４名の被験者全員が、両足全体とともに上半身全体にも、温感を感じた。また、密閉包囲材の内部の二酸化炭素が経皮吸収されることによって密閉包囲材が萎むたびに、密閉包囲材の内部の気圧が大気圧を超えるように二酸化炭素を繰り返し注入し、合計１５分間、二酸化炭素の経皮吸収を行った。その結果、２７歳の騎手を除く３名の騎手が、足の筋肉痛はもちろん体全体の疲れが取れるという疲労回復効果を感じた。
【実施例４】
【０１２２】
５２歳の男性被験者が、４２度の風呂に１５分間入浴し、風呂上がりに全身をバスタオルで拭いた。被験者においては、軽い発汗が続き、全身はしっとりと濡れていた。その状態の被験者の左足を、吸収補助材を使用することなく、逆止弁付きの長さ８０ｃｍのポリプロピレン製の袋状密閉包囲材によって、覆った。そして、実施例１と同様の試験を行った。室内相対湿度は、５８％であったが、密閉包囲材の内部の相対湿度は、二酸化炭素の注入開始から２分後に、８０％となり、被験者の左足全体が、血管拡張のために、赤くなった。このとき、被験者は、左足に強い温感を感じた。更に、密閉包囲材の内部の相対湿度は、二酸化炭素の注入開始から５分後には、８８％であり、被験者は、更に体全体が暖かくなるのを感じた。それと同時に、被験者は、肩凝りと首の凝りが軽減されるのを感じた。続けて、密閉包囲材の内部の気圧が大気圧を超えるように、密閉包囲材の内部に二酸化炭素を注入して、密閉包囲材を膨張させたところ、被験者は、左足だけでなく体全体の温感が更に強くなるのを感じ、被験者の背中と脇の下には、軽い発汗が見られた。それと同時に、被験者は、肩凝りと首の凝りが更に軽減されたのを感じた。
【実施例５】
【０１２３】
２７歳の男性被験者が、１０分間、エアバイクを漕いだ。被験者においては、全身が軽く発汗した。次に、被験者は、トレーニングマシンＭＹＯＲＥＴを用いて、大腿四頭筋の疲労を両足に起こした。被験者は、更に多量に発汗した。トレーニング終了後、吸収補助材を使用することなく、被験者の左足を、逆止弁付きの長さ８０ｃｍのポリプロピレン製の袋状密閉包囲材によって、覆った。そして、実施例１と同様の試験を行った。被験者の右足には、何も処置をしなかった。ＭＹＯＲＥＴを用いて、被験者の大腿四頭筋の疲労度を測定したところ、左足の疲労回復が右足に比べて早かった。
【実施例６】
【０１２４】
５２歳の男性被験者の左足を、吸収補助材を使用することなく、逆止弁付きの長さ８０ｃｍのポリプロピレン製の袋状密閉包囲材によって、覆った。そして、実施例１と同様の試験を行った。室内相対湿度は、６０％であり、試験開始時の密閉包囲材の内部の相対湿度は、６５％であった。密閉包囲材の内部の気圧が大気圧を超えないように、密閉包囲材の内部に二酸化炭素を注入したところ、被験者は、左足に温感を感じなかった。また、被験者の皮膚の発赤は、認められなかった。【０１２５】
次に、密閉包囲材の内部の気圧が大気圧を超えるように、密閉包囲材の内部に二酸化炭素を注入して、密閉包囲材を膨張させたところ、被験者の左足は、発汗し、密閉包囲材の内部の相対湿度は、７５％となった。被験者は、左足全体に温感を感じた。また、被験者の皮膚の発赤が、認められた。
【実施例７】
【０１２６】
逆止弁付きの長さ８０ｃｍのポリプロピレン製の袋状密閉包囲材の内部に、９０度のホットタオルを入れて、密閉包囲材を１分間密閉した。室内相対湿度は、６０％であったが、密閉包囲材の内部の相対湿度は、１００％になった。次に、５２歳の男性被験者の左足を、吸収補助材を使用することなく、密閉包囲材によって覆った。そして、実施例１と同様の試験を行った。密閉包囲材の内部に二酸化炭素を注入した直後に、被験者は、左足に温感を感じ、被験者の皮膚が、発赤した。更に、１分後に、被験者は、全身に温感を感じ、被験者の脇の下は、発汗した。被験者は、左足の疲れと肩凝りが軽減されるのを感じた。【０１２７】
続けて、密閉包囲材の内部の気圧が大気圧を超えるように、密閉包囲材の内部に二酸化炭素を注入して、密閉包囲材を膨張させたところ、被験者は、左足だけでなく全身の温感が更に強くなるのを感じた。それと同時に、被験者は、左足の疲れと肩凝りが更に軽減されるのを感じた。【０１２８】
実施例１〜７から明らかなように、被施療者（被験者）の発汗を促した状態で二酸化炭素の経皮経粘膜吸収を行うと、医療効果及び美容効果を更に向上できるとともに、疲労回復効果などを得ることができる。
【産業上の利用可能性】
【０１２９】
本発明の二酸化炭素外用投与装置及び同方法は、医療効果、美容効果、及び疲労回復効果などを簡便に得ることができるので、産業上の利用価値が大である。
【図１】
2008047829.tif 000003
【図２】
2008047829.tif 000004
【図３】
2008047829.tif 000005
【図４】
2008047829.tif 000006
【図５】
2008047829.tif 000007
【図６】
2008047829.tif 000008
【国際調査報告】
2008047829.tif 000009
2008047829.tif 000010
2008047829.tif 000011
2008047829.tif 000012
2008047829.tif 000013